(57)【特許請求の範囲】
【請求項１】
区間走行距離を表示するトリップデータ表示部と、
前記トリップデータ表示部の表示内容を制御する制御手段と、を備えた車両用計器において、
前記制御手段は、車両利用者の操作に基づいて、
この操作がなされた日時情報を関連づけて、車両情報を記憶部に格納する格納処理と、
前記格納処理によって格納された車両情報を前記日時情報とともに閲覧可能にする表示処理と、を行うことを特徴とする車両用計器。
【請求項２】
前記制御手段は、車両利用者による操作スイッチの押圧時間によって、画面切換え操作であるか、リセット操作であるかを判定する長押し判定処理を行うことを特徴とする請求項１に記載の車両用計器。
【請求項３】
前記制御手段は、前記格納処理において、前記区間走行距離のリセット操作に基づいて、他の車両情報を初期化するとともに、前記リセット操作の直前の前記車両情報を前記記憶部に格納することを特徴とする請求項１または請求項２に記載の車両用計器。
【請求項４】
前記制御手段は、前記表示処理において、前記トリップデータ表示部の画面切換えによって前記記憶部に格納された前記車両情報を表示させることを特徴とする請求項１乃至請求項３のいずれかに記載の車両用計器。
【発明の詳細な説明】
【技術分野】
【０００１】
本発明は、走行距離を表示する車両用計器に関し、例えば、表示パネルと操作スイッチとをインストルメントパネルに設けてなり、走行距離を含む複数の車両情報を表示する車両用計器に好適である。
【背景技術】
【０００２】
従来、車両用計器は、車両のインストルメントパネルにおいて、車両利用者（運転者）が視認可能な位置に設けられている。この車両用計器は、車両の走行速度やエンジン回転数の他に、車両の積算走行距離を表示するオドメータやトリップメータ、外気温度や燃費などの車両情報を表示するための液晶ディスプレイなどの表示パネルを用いるものがある。これらの車両用計器は、スイッチなどの入力手段を用いてこれらの車両情報を切換え表示させることによって、複数の車両情報の項目を一箇所の表示位置に選択的に表示させるようにしている（例えば、特許文献１に記載）。
【先行技術文献】
【特許文献】
【０００３】
【特許文献１】特開平７−１５６６９０号公報
【発明の概要】
【発明が解決しようとする課題】
【０００４】
しかしながら、上述した従来の車両用計器にあっては、多種類の車両情報について選択的に表示させる場合には、利用者が所望の車両情報を表示させるまでに、表示パネルの表示を確認しながらスイッチを何度も操作しなくてはならない。特に、車両情報の選択肢が多い場合には、この選択作業が煩雑なものになってしまう。
【０００５】
また、トリップメータ（区間走行距離計）に連動して平均燃費や平均車速などの車両情報がリセットされてしまう場合など煩雑であるため、予期せずに車両情報をリセットしてしまい、閲覧できなくなってしまうという可能性があった。また、意図的にリセット操作した場合であっても、現状の表示値と比較する際には、リセットされた車両情報を覚えておくか、メモするなど利用者に負担を与えるものであった。
【０００６】
そこで本発明の目的とするところは、上述した問題に着目してなされたものであって、リセットされた車両情報を、再び確認できる車両用計器を提供することにある。
【課題を解決するための手段】
【０００７】
本発明の車両用計器は、
区間走行距離を表示するトリップデータ表示部と、
前記トリップデータ表示部の表示内容を制御する制御手段と、を備えた車両用計器において、
前記制御手段は、車両利用者の操作に基づいて、
この操作がなされた日時情報を関連づけて、車両情報を記憶部に格納する格納処理と、
前記格納処理によって格納された車両情報を前記日時情報とともに閲覧可能にする表示処理と、を行うことを特徴とする。
【０００８】
また、前記制御手段は、車両利用者による操作スイッチの押圧時間によって、画面切換え操作であるか、リセット操作であるかを判定する長押し判定処理を行うことを特徴とする。
【０００９】
また、前記制御手段は、前記格納処理において、前記区間走行距離のリセット操作に基づいて、他の車両情報を初期化するとともに、前記リセット操作の直前の前記車両情報を前記記憶部に格納することを特徴とする。
【００１０】
また、前記制御手段は、前記表示処理において、前記トリップデータ表示部の画面切換えによって前記記憶部に格納された前記車両情報を表示させることを特徴とする。
【発明の効果】
【００１１】
本発明は、走行距離を表示する車両用計器に関し、例えば、表示パネルと操作スイッチとをインストルメントパネルに設けてなり、走行距離を含む複数の車両情報を表示する車両用計器であって、リセットされた車両情報を、再び確認できる。
【図面の簡単な説明】
【００１２】
【図１】本発明の実施の形態における電気的な構成を示す図。
【図２】同上実施の形態の表示手段の表示遷移例を示す図。
【図３】同上実施の形態の制御手段の処理手順を示す図。
【発明を実施するための形態】
【００１３】
以下、本発明が適用された実施の形態について添付図面を用いて説明する。
【００１４】
本発明の車両用計器を適用したものを例に挙げて説明する。車両用計器は、図１に示すように、操作スイッチ１、制御手段２、表示手段（トリップデータ表示部）３などを備えて構成している。
【００１５】
なお、車両用計器は、この他の表示４として、エンジン回転数や走行速度を表示するための回動可能な図示しない指針やこの指針を指示する指標部を有する文字板を用いた、所謂アナログ表示部や、各種センサの出力に基づいた異常状態を示す警告灯、ドアや前照灯などの状態を示すインジケータを備える複合計器である。
【００１６】
操作スイッチ１は、表示手段３が表示している車両情報を利用者の押圧操作に基づいて切換えるための入力手段であり、前記押圧操作に応じた信号を制御手段２に出力する。この場合、操作スイッチ１は、インストルメントパネルあるいはステアリングにおいて、表示手段３を視認しながら操作可能な位置に１個設けられて構成される。操作スイッチ１は、例えば、総積算走行距離表示の表示状態において、１回押圧操作された場合、制御手段２による制御によって表示手段３の車両情報を、別の車両情報（例えば、区間走行距離）の表示に切換えるためのスイッチである。
【００１７】
制御手段２は、例えば、マイクロコンピュータを適用でき、操作スイッチ１からの入力情報、または、図示しないがＣＡＮ（Ｃｏｎｔｒｏｌｌｅｒ  Ａｒｅａ  Ｎｅｔｗｏｒｋ）通信ケーブルを経由して別途車両に搭載されるＥＣＵからの走行速度などの各種情報を入力できるように接続される。
【００１８】
また、制御手段２は、操作スイッチ１からの信号や各種情報に基づいて演算処理するためのＣＰＵと、このＣＰＵにおける演算処理結果等を一時的に格納する読出し及び書換え可能なＲＡＭや、制御プログラムや制御データを格納したＲＯＭ、前記各種情報や制御信号、クロック信号やラッチ信号などをやり取りするためにバス接続された入出力インターフェイスと、を備えている。なお、データを記憶する手段として、ＲＡＭやＲＯＭの他に、ＥＥＰＲＯＭやフラッシュメモリなどからなる書換え可能な不揮発性メモリからなる記憶部２１を用いることができ、この場合、表示手段３に表示した車両情報等を履歴情報として格納できるように構成している。また、制御手段２は、表示手段３を駆動するための駆動ドライバや、前記アナログ表示部や警告灯、インジケータなどを駆動制御する駆動部を設けている。
【００１９】
表示手段３は、車両のインストルメントパネルに設けられる車両用計器内において、制御手段２からの制御信号に基づいて表示するものであり、例えば、液晶表示パネルまたは有機ＥＬパネルを適用できる。この場合、表示手段３は、総積算走行距離や区間走行距離、車両外気温度、平均燃費値、瞬間燃費値などをゲージや数値などで切換え表示するものである。なお、表示手段３は、制御信号に応じて回動する指針と、この指針の指示対象となる目盛りや数値等の指標と、を液晶表示パネルに表現することもできる。
【００２０】
以下、制御手段２による処理について図２，３を用いて説明する。
【００２１】
制御手段２は、例えば、図２の画面１の表示状態のように、表示手段３に積算走行距離「Ｏｄｏ」や区間走行距離「Ｔｒｉｐ」を表示させた状態において、操作スイッチ１からの信号に基づいて、操作スイッチ１が押圧されたか否かを判定する押圧判定処理（ステップＳ１）を行う。この判定により操作スイッチ１が押圧されたと判定した場合には、操作スイッチ１が押圧判定処理から所定時間（例えば２秒）以上押圧された状態（以下、長押しと記す）であるか否かを判定する長押し判定処理（ステップＳ２）を行う。
【００２２】
制御手段２は、この長押し判定処理の判定結果により、長押しではないと判定された場合（所定時間未満の押圧操作の場合）には、現在表示している車両情報の表示から次なる表示画面（予め定められた順番に基づく次に用意された車両情報表示画面）へ表示が切換わるように表示手段３を制御する画面切換え処理（ステップＳ３）を行う。例えば、制御手段２は、図２に示すように、画面１から画面２へ表示遷移させて、異なる種類の車両情報を確認できるようにしている。
【００２３】
また、制御手段２は、長押し判定処理の判定結果により、長押しされたと判定した場合には、車両情報についてリセット操作がなされたと見なして、区間走行距離に関連する初期化可能な車両情報（トリップデータ）を記憶部２１に格納する格納処理を行う（ステップＳ４）。この際、リセット操作がなされた日時とその前にリセット操作がなされた日時（区間走行距離がカウントされた始めと終わりの日時）と、車両情報とが関連づけられて格納される。この場合、該日時情報と、区間走行距離、平均燃費、平均速度、消費燃料量などの車両情報を格納する。
【００２４】
次に、制御手段２は、区間走行距離の情報とこれに関連するリセット可能な車両情報を初期化して新たなカウントを開始する（ステップＳ５）。
【００２５】
上記の処理を繰り返すことによって、利用者の操作に応じた表示手段３の表示遷移やリセット処理などがなされる。また、制御手段２は、図２に示すように、画面２を表示中に、利用者による操作スイッチの短押し操作（所定時間未満の押圧操作の場合）がなされた場合に、記憶部２１に格納された日時情報と区間走行距離を含む車両情報とが表示される画面３へ画面切換えされるように表示手段３を制御する（表示処理）。この場合、リセット操作の期間を示す日時情報及びその区間走行距離とともに、この区間における平均燃費、平均車速、消費燃料量などの車両情報を表示するようにしている。
【００２６】
従って、過去にリセットした区間走行距離とその区間における車両情報とを簡単に確認することができる。また、区間走行距離とともに併記して表示されることによって、区間走行距離と他の車両情報とを対比しながら確認できるため、表示内容の把握に便利である。また、日時情報とともに記憶部２１に格納し、併記して表示することによって、期間毎の車両情報や、リセット操作タイミングを確認することもできる。また、利用者は、画面切換えの操作によって、これらの履歴情報と現在計測し表示される車両情報とを比較することが容易となるため、自身の運転操作や車両の利用状態などの把握や分析に役立てることができる。
【００２７】
斯かる車両用計器は、区間走行距離を表示する表示手段３と、表示手段３の表示内容を制御する制御手段２と、を備えた車両用計器において、制御手段２は、車両利用者の操作に基づいて、車両情報を記憶部２１に格納する格納処理（ステップＳ３）と、格納処理（ステップＳ３）によって格納された車両情報を閲覧可能にする表示処理と、を行う。従って、リセットされた車両情報を、再び確認でき、上述の効果を得ることができる。
【００２８】
また、制御手段２は、区間走行距離を含む複数の車両情報を記憶部に格納し、前記表示処理によって区間走行距離及び他の車両情報を併記して表示させることで、関連づけて確認することが可能となる。
【００２９】
また、制御手段２は、前記格納処理において、区間走行距離のリセット操作に基づいて、他の車両情報を初期化するとともに、前記リセット操作の直前の前記車両情報を記憶部２１に格納することによって、記憶部２１への格納を自動的に行うことができる。また、予期しないリセット操作によって初期化した場合であっても、その時点の車両情報を確認することができる。
【００３０】
制御手段２は、前記表示処理において、表示手段３の画面切換えによって記憶部２１に格納された前記車両情報を表示させることによって、区間走行距離などのトリップデータに関連する情報出力を一つの表示手段３に集中させることができ、利用者が所望の情報を導きやすい車両用計器となる。
【００３１】
なお、本発明の車両用計器を上述した実施の形態の構成にて例に挙げて説明したが、本発明はこれに限定されるものではなく、他の構成においても、本発明の要旨を逸脱しない範囲において種々の改良、並びに設計の変更が可能なことは勿論である。例えば、上述した実施の形態において、一つの操作スイッチ１による操作に応じて、画面切換えやリセット操作等がなされる構成を示したが、複数のスイッチを用いて操作するものであってもよく、この場合、専用にリセット用スイッチを設けたり、リセット操作や、過去の履歴情報を表示するために項目選択するカーソル表示や選択用スイッチ、選択を決定する決定用スイッチなど、仕様に応じて表示遷移させることが好ましい。
【００３２】
また、記憶部の容量に応じて複数の履歴情報を格納させておき、選択的に表示させることによって、車両情報の変化を確認することができるだけでなく、上述の実施の形態と同様の効果を得ることができる。また、利用者の所定操作に基づいて、初期化処理をともなわずに記憶部に車両情報を格納するだけの格納処理も構成でき、上述と同様に、履歴情報を確認する効果を得ることができる。
【産業上の利用可能性】
【００３３】
本発明は、車両用計器に関し、例えば、自動車やオートバイ、あるいは農業機械や建設機械を備えた移動体に搭載される車両用計器として適用できる。
【符号の説明】
【００３４】
１    操作スイッチ
２    制御手段
２１  記憶部
３    表示手段（トリップデータ表示部）
４    他の表示
【図１】
0005787161.tif 000002
【図２】
0005787161.tif 000003
【図３】
0005787161.tif 000004